(57)【要約】  在圏する無線基地局に応じて、中継装置の中継機能を適切に調整可能な技術を提供することが望ましい。無線基地局のセルに在圏して無線基地局と通信端末との通信を中継する無線中継装置が在圏しているセルの種類又は無線基地局と無線中継装置との通信の通信許容量を取得する情報取得部と、情報取得部によって取得されたセルの種類又は通信許容量に基づいて、無線中継装置が接続可能な通信端末の数を示す接続可能端末数、又は無線中継装置が通信端末との通信に利用可能な無線リソースの数を示す利用可能リソース数を決定する決定部とを備える制御装置を提供する。
2020240806.tif 000002
【特許請求の範囲】
【請求項１】
無線基地局のセルに在圏して前記無線基地局と通信端末との通信を中継する無線中継装置が在圏している前記セルの種類又は前記無線基地局と前記無線中継装置との通信の通信許容量を取得する情報取得部と、
前記情報取得部によって取得された前記セルの種類又は前記通信許容量に基づいて、前記無線中継装置が接続可能な前記通信端末の数を示す接続可能端末数、又は前記無線中継装置が前記通信端末との通信に利用可能な無線リソースの数を示す利用可能リソース数を決定する決定部と
を備える制御装置。
【請求項２】
前記情報取得部は、前記セルの種類を取得し、
前記決定部は、前記セルの種類に基づいて、前記接続可能端末数又は前記利用可能リソース数を決定する、請求項１に記載の制御装置。
【請求項３】
前記決定部は、前記セルの種類が、前記セルに在圏した前記無線中継装置に対して割り当てられる通信許容量がより多いセルである場合に、より多い前記接続可能端末数又はより多い前記利用可能リソース数を決定する、請求項２に記載の制御装置。
【請求項４】
前記セルの種類は、ＬＴＥ（Ｌｏｎｇ  Ｔｅｒｍ  Ｅｖｏｌｕｔｉｏｎ）のセルと、５Ｇ（５ｔｈ  Ｇｅｎｅｒａｔｉｏｎ）のセルとを含み、
前記決定部は、前記セルの種類がＬＴＥのセルである場合と比較して、前記セルの種類が５Ｇのセルである場合に、より多い前記接続可能端末数又はより多い前記利用可能リソース数を決定する、請求項３に記載の制御装置。
【請求項５】
前記情報取得部は、前記通信許容量を取得し、
前記決定部は、前記通信許容量に基づいて、前記接続可能端末数又は前記利用可能リソース数を決定する、請求項１に記載の制御装置。
【請求項６】
前記決定部は、前記通信許容量が多いほど、より多い前記接続可能端末数又はより多い前記利用可能リソース数を決定する、請求項５に記載の制御装置。
【請求項７】
前記情報取得部は、前記通信許容量として、前記無線基地局によって前記無線中継装置に割り当てられる帯域幅を取得する、請求項５又は６に記載の制御装置。
【請求項８】
前記無線中継装置から、前記接続可能端末数又は前記利用可能リソース数の決定要求を受信する決定要求受信部と、
前記決定要求に応じて前記決定部によって決定された前記接続可能端末数又は前記利用可能リソース数を、前記決定要求を送信した前記無線中継装置に対して送信する決定結果送信部と
を備える請求項１から７のいずれか一項に記載の制御装置。
【請求項９】
前記決定部は、第１のセルに在圏している複数の無線中継装置の前記接続可能端末数又は前記利用可能リソース数の総数が、前記第１のセルよりも前記無線中継装置に対して割り当てられる通信許容量が少ない第２のセルに在圏している複数の無線中継装置の前記接続可能端末数又は前記利用可能リソース数の総数よりも多くなるように、前記複数の無線中継装置のそれぞれの前記接続可能端末数又は前記利用可能リソース数を決定する、請求項１から８のいずれか一項に記載の制御装置。
【請求項１０】
前記決定部は、前記第１のセルに在圏している前記複数の無線中継装置の前記接続可能端末数の総数が、前記第２のセルに在圏している前記複数の無線中継装置の前記接続可能端末数の総数よりも多くなるように、前記複数の無線中継装置のそれぞれの前記接続可能端末数を決定する、請求項９に記載の制御装置。
【請求項１１】
前記決定部は、前記第１のセルに在圏している前記複数の無線中継装置の前記利用可能リソース数の総数が、前記第２のセルに在圏している前記複数の無線中継装置の前記利用可能リソース数の総数よりも多くなるように、前記複数の無線中継装置のそれぞれの前記利用可能リソース数を決定する、請求項９に記載の制御装置。
【請求項１２】
前記無線中継装置は移動可能であり、
前記情報取得部は、前記第１のセルに在圏している前記複数の無線中継装置のそれぞれの移動速度を取得し、
前記決定部は、前記第１のセルに在圏している前記複数の無線中継装置のうち、前記移動速度がより遅い前記無線中継装置に対して、より多い前記接続可能端末数又はより多い前記利用可能リソース数を決定する、請求項９から１１のいずれか一項に記載の制御装置。
【請求項１３】
前記無線中継装置は移動可能であり、
前記情報取得部は、前記第１のセルに在圏している前記複数の無線中継装置のそれぞれが移動しているか否かを示す移動情報を取得し、
前記決定部は、前記第１のセルに在圏している前記複数の無線中継装置のうち、移動していない前記無線中継装置に対して、移動している前記無線中継装置と比較して、より多い前記接続可能端末数又はより多い前記利用可能リソース数を決定する、請求項９から１１のいずれか一項に記載の制御装置。
【請求項１４】
前記情報取得部は、前記第１のセルに在圏している前記複数の無線中継装置のそれぞれの位置情報を取得し、
前記決定部は、前記第１のセルに在圏している前記複数の無線中継装置のうち、前記第１のセルを形成している前記無線基地局により近い前記無線中継装置に対して、より多い前記接続可能端末数又はより多い前記利用可能リソース数を決定する、請求項９から１１のいずれか一項に記載の制御装置。
【請求項１５】
前記情報取得部は、前記第１のセルに在圏している前記複数の無線中継装置のそれぞれの、前記第１のセルを形成している前記無線基地局からの電波受信強度を取得し、
前記決定部は、前記第１のセルに在圏している前記複数の無線中継装置のうち、前記電波受信強度がより強い前記無線中継装置に対して、より多い前記接続可能端末数又はより多い前記利用可能リソース数を決定する、請求項９から１１のいずれか一項に記載の制御装置。
【請求項１６】
前記無線中継装置は、バッテリを搭載した自動車であり、
前記情報取得部は、前記第１のセルに在圏している前記複数の無線中継装置のそれぞれが前記バッテリを充電しているか否かを示す情報を取得し、
前記決定部は、前記第１のセルに在圏している前記複数の無線中継装置のうち、充電している前記無線中継装置に対して、充電していない前記無線中継装置と比較して、より多い前記接続可能端末数又はより多い前記利用可能リソース数を決定する、請求項９から１１のいずれか一項に記載の制御装置。
【請求項１７】
コンピュータを、請求項１から１６のいずれか一項に記載の制御装置として機能させるためのプログラム。
【請求項１８】
コンピュータによって実行される制御方法であって、
無線基地局のセルに在圏して前記無線基地局と通信端末との通信を中継する無線中継装置が在圏している前記セルの種類又は前記無線基地局と前記無線中継装置との通信の通信許容量を取得する情報取得段階と、
前記情報取得段階のいて取得された前記セルの種類又は前記通信許容量に基づいて、前記無線中継装置が接続可能な前記通信端末の数を示す接続可能端末数、又は前記無線中継装置が前記通信端末との通信に利用可能な無線リソースの数を示す利用可能リソース数を決定する決定段階と
を備える制御方法。
【請求項１９】
無線基地局のセルに在圏して前記無線基地局と通信端末との通信を中継する無線中継装置であって、
在圏している前記セルの種類又は前記無線基地局との通信の通信許容量を取得する情報取得部と、
前記情報取得部によって取得された前記セルの種類又は前記通信許容量に基づいて、接続可能な前記通信端末の数を示す接続可能端末数、又は前記通信端末との通信に利用可能な無線リソースの数を示す利用可能リソース数を決定する決定部と、
前記決定部によって決定された前記接続可能端末数又は前記利用可能リソース数に基づいて、前記通信端末との通信接続を確立する端末通信部と
を備える無線中継装置。
【請求項２０】
前記端末通信部は、前記決定部によって決定された前記接続可能端末数を上限として、前記通信端末との通信接続を確立する、請求項１９に記載の無線中継装置。
【請求項２１】
前記端末通信部は、前記決定部によって決定された前記利用可能リソース数に基づいて、前記通信端末に対する無線リソースの割り当てを行う、請求項１９に記載の無線中継装置。
【請求項２２】
コンピュータを、請求項１９から２１のいずれか一項に記載の無線中継装置として機能させるためのプログラム。
【請求項２３】
無線基地局のセルに在圏して前記無線基地局と通信端末との通信を中継する無線中継装置によって実行される制御方法であって、
前記無線中継装置が在圏している前記セルの種類又は前記無線基地局との通信の通信許容量を取得する情報取得段階と、
前記情報取得段階において取得された前記セルの種類又は前記通信許容量に基づいて、接続可能な前記通信端末の数を示す接続可能端末数、又は前記通信端末との通信に利用可能な無線リソースの数を示す利用可能リソース数を決定する決定段階と、
前記決定段階において決定された前記接続可能端末数又は前記利用可能リソース数に基づいて、前記通信端末との通信接続を確立する端末通信段階と
を備える制御方法。
【発明の詳細な説明】
【技術分野】
【０００１】
本発明は、制御装置、無線中継装置、プログラム、及び制御方法に関する。
【背景技術】
【０００２】
無線基地局に在圏して無線基地局と通信端末との通信を中継する無線中継装置が知られていた（例えば、特許文献１参照）。
［先行技術文献］
［特許文献］
［特許文献１］特開２０１１−０２９９８８号公報
【解決しようとする課題】
【０００３】
在圏する無線基地局に応じて、中継装置の中継機能を適切に調整可能な技術を提供することが望ましい。
【一般的開示】
【０００４】
本発明の第１の態様によれば、制御装置が提供される。制御装置は、無線基地局のセルに在圏して無線基地局と通信端末との通信を中継する無線中継装置が在圏しているセルの種類又は無線基地局と無線中継装置との通信の通信許容量を取得する情報取得部を備えてよい。制御装置は、情報取得部によって取得されたセルの種類又は通信許容量に基づいて、無線中継装置が接続可能な通信端末の数を示す接続可能端末数、又は無線中継装置が通信端末との通信に利用可能な無線リソースの数を示す利用可能リソース数を決定する決定部を備えてよい。
【０００５】
上記情報取得部は、上記セルの種類を取得してよく、上記決定部は、上記セルの種類に基づいて、上記接続可能端末数又は上記利用可能リソース数を決定してよい。上記決定部は、上記セルの種類が、上記セルに在圏した上記無線中継装置に対して割り当てられる通信許容量がより多いセルである場合に、より多い上記接続可能端末数又はより多い上記利用可能リソース数を決定してよい。上記セルの種類は、ＬＴＥ（Ｌｏｎｇ  Ｔｅｒｍ  Ｅｖｏｌｕｔｉｏｎ）のセルと、５Ｇ（５ｔｈ  Ｇｅｎｅｒａｔｉｏｎ）のセルとを含んでよく、上記決定部は、上記セルの種類がＬＴＥのセルである場合と比較して、上記セルの種類が５Ｇのセルである場合に、より多い上記接続可能端末数又はより多い上記利用可能リソース数を決定してよい。
【０００６】
上記情報取得部は、上記通信許容量を取得してよく、上記決定部は、上記通信許容量に基づいて、上記接続可能端末数又は上記利用可能リソース数を決定してよい。上記決定部は、上記通信許容量が多いほど、より多い上記接続可能端末数又はより多い上記利用可能リソース数を決定してよい。上記情報取得部は、上記通信許容量として、上記無線基地局によって上記無線中継装置に割り当てられる帯域幅を取得してよい。
【０００７】
上記制御装置は、上記無線中継装置から、上記接続可能端末数又は上記利用可能リソース数の決定要求を受信する決定要求受信部と、上記決定要求に応じて上記決定部によって決定された上記接続可能端末数又は上記利用可能リソース数を、上記決定要求を送信した上記無線中継装置に対して送信する決定結果送信部とを備えてよい。上記決定部は、第１のセルに在圏している複数の無線中継装置の上記接続可能端末数又は上記利用可能リソース数の総数が、上記第１のセルよりも上記無線中継装置に対して割り当てられる通信許容量が少ない第２のセルに在圏している複数の無線中継装置の上記接続可能端末数又は上記利用可能リソース数の総数よりも多くなるように、上記複数の無線中継装置のそれぞれの上記接続可能端末数又は上記利用可能リソース数を決定してよい。上記決定部は、上記第１のセルに在圏している上記複数の無線中継装置の上記接続可能端末数の総数が、上記第２のセルに在圏している上記複数の無線中継装置の上記接続可能端末数の総数よりも多くなるように、上記複数の無線中継装置のそれぞれの上記接続可能端末数を決定してよい。上記決定部は、上記第１のセルに在圏している上記複数の無線中継装置の上記利用可能リソース数の総数が、上記第２のセルに在圏している上記複数の無線中継装置の上記利用可能リソース数の総数よりも多くなるように、上記複数の無線中継装置のそれぞれの上記利用可能リソース数を決定してよい。
【０００８】
上記無線中継装置は移動可能であってよく、上記情報取得部は、上記第１のセルに在圏している上記複数の無線中継装置のそれぞれの移動速度を取得してよく、上記決定部は、上記第１のセルに在圏している上記複数の無線中継装置のうち、上記移動速度がより遅い上記無線中継装置に対して、より多い上記接続可能端末数又はより多い上記利用可能リソース数を決定してよい。上記無線中継装置は移動可能であってよく、上記情報取得部は、上記第１のセルに在圏している上記複数の無線中継装置のそれぞれが移動しているか否かを示す移動情報を取得してよく、上記決定部は、上記第１のセルに上記複数の無線中継装置のうち、移動していない上記無線中継装置に対して、移動している上記無線中継装置と比較して、より多い上記接続可能端末数又はより多い上記利用可能リソース数を決定してよい。
【０００９】
上記情報取得部は、上記第１のセルに在圏している上記複数の無線中継装置のそれぞれの位置情報を取得してよく、上記決定部は、上記第１のセルに在圏している上記複数の無線中継装置のうち、上記第１のセルを形成している上記無線基地局により近い上記無線中継装置に対して、より多い上記接続可能端末数又はより多い上記利用可能リソース数を決定してよい。上記情報取得部は、上記第１のセルに在圏している上記複数の無線中継装置のそれぞれの、上記第１のセルを形成している上記無線基地局からの電波受信強度を取得してよく、上記決定部は、上記第１のセルに在圏している上記複数の無線中継装置のうち、上記電波受信強度がより強い上記無線中継装置に対して、より多い上記接続可能端末数又はより多い上記利用可能リソース数を決定してよい。上記無線中継装置は、バッテリを搭載した自動車であってよく、上記情報取得部は、上記第１のセルに在圏している上記複数の無線中継装置のそれぞれが上記バッテリを充電しているか否かを示す情報を取得してよく、上記決定部は、上記第１のセルに上記複数の無線中継装置のうち、充電している上記無線中継装置に対して、充電していない上記無線中継装置と比較して、より多い上記接続可能端末数又はより多い上記利用可能リソース数を決定してよい。
【００１０】
本発明の第２の態様によれば、コンピュータを、上記制御装置として機能させるためのプログラムが提供される。
【００１１】
本発明の第３の態様によれば、コンピュータによって実行される制御方法が提供される。制御方法は、無線基地局のセルに在圏して無線基地局と通信端末との通信を中継する無線中継装置が在圏しているセルの種類又は無線基地局と無線中継装置との通信の通信許容量を取得する情報取得段階を備えてよい。制御方法は、情報取得段階のいて取得されたセルの種類又は通信許容量に基づいて、無線中継装置が接続可能な通信端末の数を示す接続可能端末数、又は無線中継装置が通信端末との通信に利用可能な無線リソースの数を示す利用可能リソース数を決定する決定段階を備えてよい。
【００１２】
本発明の第４の態様によれば、無線基地局のセルに在圏して無線基地局と通信端末との通信を中継する無線中継装置が提供される。無線中継装置は、在圏しているセルの種類又は無線基地局との通信の通信許容量を取得する情報取得部を備えてよい。無線中継装置は、情報取得部によって取得されたセルの種類又は通信許容量に基づいて、接続可能な通信端末の数を示す接続可能端末数、又は通信端末との通信に利用可能な無線リソースの数を示す利用可能リソース数を決定する決定部を備えてよい。無線中継装置は、決定部によって決定された接続可能端末数又は利用可能リソース数に基づいて、通信端末との通信接続を確立する端末通信部を備えてよい。端末通信部は、決定部によって決定された接続可能端末数を上限として、通信端末との通信接続を確立してよい。端末通信部は、決定部によって決定された利用可能リソース数に基づいて、通信端末に対する無線リソースの割り当てを行ってよい。
【００１３】
本発明の第５の態様によれば、コンピュータを、上記無線中継装置として機能させるためのプログラムが提供される。
【００１４】
本発明の第６の態様によれば、無線基地局のセルに在圏して無線基地局と通信端末との通信を中継する無線中継装置によって実行される制御方法が提供される。制御方法は、無線中継装置が在圏しているセルの種類又は無線基地局との通信の通信許容量を取得する情報取得段階を備えてよい。制御方法は、情報取得段階において取得されたセルの種類又は通信許容量に基づいて、接続可能な通信端末の数を示す接続可能端末数、又は通信端末との通信に利用可能な無線リソースの数を示す利用可能リソース数を決定する決定段階を備えてよい。制御方法は、決定段階において決定された接続可能端末数又は利用可能リソース数に基づいて、通信端末との通信接続を確立する端末通信段階を備えてよい。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】車両２００の通信環境の一例を概略的に示す。
【図２】車両２００及び管理装置１００による処理の流れの一例を概略的に示す。
【図３】車両２００及び管理装置１００による処理の流れの一例を概略的に示す。
【図４】管理装置１００の機能構成の一例を概略的に示す。
【図５】管理装置１００による処理の流れの一例を概略的に示す。
【図６】接続可能端末数又は利用可能リソース数の決定機能を有する車両２００の車載装置２１０の機能構成の一例を概略的に示す。
【図７】車載装置２１０による処理の流れの一例を概略的に示す。
【図８】管理装置１００又は車載装置２１０として機能するコンピュータ１２００のハードウェア構成の一例を概略的に示す。
【発明を実施するための形態】
【００１７】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１８】
図１は、車両２００の通信環境の一例を概略的に示す。本実施形態に係る車両２００は、無線基地局３０のセル３２に在圏して、無線基地局３０と通信端末３００との通信を中継する中継機能を有する。車両２００が無線基地局３０のセル３２に在圏しているとは、車両２００がセル３２内に位置して無線基地局３０と無線通信接続を確立していることであってよい。車両２００は、無線中継装置の一例であってよい。
【００１９】
車両２００は、自動車であってよい。車両２００は、無線通信機能を有していれば、どのような種類の自動車であってもよい。車両２００は、例えば、ガソリン車であってよく、また、いわゆるエコカーであってもよい。エコカーの種類としては、ＨＶ（Ｈｙｂｒｉｄ  Ｖｅｈｉｃｌｅ）、ＰＨＥＶ／ＰＨＶ（Ｐｌｕｇ−ｉｎ  Ｈｙｂｒｉｄ  Ｖｅｈｉｃｌｅ）、ＥＶ（Ｅｌｅｃｔｒｉｃ  Ｖｅｈｉｃｌｅ）、及びＦＣＶ（Ｆｕｅｌ  Ｃｅｌｌ  Ｖｅｈｉｃｌｅ）等が挙げられる。車両２００は、どのような用途の自動車であってもよい。車両２００は、例えば、自家用車であってよく、また、タクシー及びバス等の事業用の車両であってもよい。
【００２０】
車両２００は、複数の種類の無線基地局３０のセル３２に在圏することができる。車両２００は、例えば、ＬＴＥ（Ｌｏｎｇ  Ｔｅｒｍ  Ｅｖｏｌｕｔｉｏｎ）通信方式に準拠している無線基地局３０のセル３２に在圏可能である。また、車両２００は、例えば、５Ｇ（５ｔｈ  Ｇｅｎｅｒａｔｉｏｎ）通信方式に準拠している無線基地局３０のセル３２に在圏可能である。また、車両２００は、例えば、３Ｇ（３ｒｄ  Ｇｅｎｅｒａｔｉｏｎ）通信方式に準拠している無線基地局３０のセル３２に在圏可能である。また、車両２００は、例えば、６Ｇ（６ｔｈ  Ｇｅｎｅｒａｔｉｏｎ）通信方式以降の移動体通信方式に準拠している無線基地局３０のセル３２に在圏可能である。
【００２１】
車両２００は、例えば、無線通信エリア２０２を生成して、無線通信エリア２０２に在圏している通信端末３００との間で無線通信を実行する。通信端末３００が無線通信エリア２０２に在圏しているとは、通信端末３００が無線通信エリア２０２内に位置して車両２００と無線通信接続を確立していることであってよい。
【００２２】
通信端末３００は、無線通信機能を有していればどのような通信端末であってもよい。通信端末３００は、例えば、スマートフォン等の携帯電話、タブレット端末、ウェアラブル端末、及びＰＣ（Ｐｅｒｓｏｎａｌ  Ｃｏｍｐｕｔｅｒ）等である。また、通信端末３００は、ＩｏＴ（Ｉｎｔｅｒｎｅｔ  ｏｆ  Ｔｈｉｎｇ）機器であってもよい。
【００２３】
車両２００と通信端末３００との無線通信の通信方式は、セルラ通信方式であってよい。すなわち、車両２００は、移動基地局であってよい。また、車両２００と通信端末３００との無線通信の通信方式は、ＷｉＦｉ通信方式であってもよい。すなわち、車両２００は、無線アクセスポイントであってよい。
【００２４】
車両２００の中継機能は、例えば、管理装置１００によって管理されてよい。管理装置１００は、車両２００の中継機能を管理する管理機能を有する。車両２００は、無線基地局３０及びネットワーク１０を介して管理装置１００と通信可能である。ネットワーク１０は、移動体通信ネットワークのコアネットワークを含んでよい。管理装置１００は、コアネットワーク内に配置されてよい。また、ネットワーク１０は、インターネットを含んでよい。管理装置１００は、インターネットに接続されていてもよい。
【００２５】
管理装置１００は、例えば、車両２００から中継機能の起動許可要求を受信した場合に、起動可否を判定する。管理装置１００は、車両２００が在圏しているセル３２の通信状況等に基づいて、起動可否を判定してよい。管理装置１００は、例えば、セル３２の通信混雑度が所定の閾値より高い場合に起動否と判定し、所定の閾値より低い場合に、起動可と判定する。
【００２６】
管理装置１００は、起動可と判定した場合に、車両２００が接続可能な通信端末３００の数を示す接続可能端末数を決定してよい。管理装置１００は、例えば、車両２００が在圏しているセル３２の種類に基づいて、接続可能端末数を決定する。例えば、管理装置１００は、セル３２の種類が、セル３２に在圏している車両２００に対して割り当てられる通信許容量が多いほど、より多い接続可能端末数を決定する。具体例として、管理装置１００は、セル３２の種類がＬＴＥのセルである場合と比較して、セル３２の種類が５Ｇのセルである場合に、より多い接続可能端末数を決定する。これにより、セル３２の種類に応じた適切な接続可能端末数を決定することができ、セル３２内の無線リソースを有効に活用可能にしたり、セル３２内の通信の混雑度が過度に高まってしまうことを防止したりすることができる。
【００２７】
管理装置１００は、車両２００が在圏している無線基地局３０と車両２００との通信許容量に基づいて、接続可能端末数を決定してもよい。例えば、管理装置１００は、通信許容量が多いほど、より多い接続可能端末数を決定する。管理装置１００は、無線基地局３０と車両２００との通信許容量の情報を、無線基地局３０から受信してよく、車両２００から受信してもよい。また、管理装置１００は、無線基地局３０の種類等に基づいて、無線基地局３０と車両２００との通信許容量を判定してもよい。
【００２８】
また、管理装置１００は、起動可と判定した場合に、車両２００が通信端末３００との通信に利用可能な無線リソースの数を示す利用可能リソース数を決定してもよい。管理装置１００は、例えば、車両２００が在圏しているセル３２の種類に基づいて、利用可能リソース数を決定する。例えば、管理装置１００は、セル３２の種類が、セル３２に在圏している車両２００に対して割り当てられる通信許容量が多いほど、より多い利用可能リソース数を決定する。具体例として、管理装置１００は、セル３２の種類がＬＴＥのセルである場合と比較して、セル３２の種類が５Ｇのセルである場合に、より多い利用可能リソース数を決定する。これにより、通信許容量に応じた適切な利用可能リソース数を決定することができ、セル３２内の無線リソースを有効に活用可能にしたり、セル３２内の通信の混雑度が過度に高まってしまうことを防止したりすることができる。
【００２９】
管理装置１００は、車両２００が在圏している無線基地局３０と車両２００との通信許容量に基づいて、利用可能リソース数を決定してもよい。例えば、管理装置１００は、通信許容量が多いほど、より多い利用可能リソース数を決定する。
【００３０】
なお、管理装置１００は、第１のセル３２に在圏している複数の車両２００の接続可能端末数又は利用可能リソース数の総数が、第１のセル３２よりも車両２００に対して割り当てられる通信許容量が少ない第２のセル３２に在圏している複数の車両２００の接続可能端末数又は利用可能リソース数よりも多くなるように、複数の車両２００のそれぞれの接続可能端末数又は利用可能リソース数を決定してもよい。例えば、第１のセル３２が５Ｇのセルであり、第２のセル３２がＬＴＥのセルである場合、管理装置１００は、第１のセル３２に在圏している複数の車両２００の接続可能端末数又は利用可能リソース数の総数が、第２のセル３２に在圏している複数の車両２００の接続可能端末数又は利用可能リソース数の総数よりも多くなるように、複数の車両２００の接続可能端末数又は利用可能リソース数を決定する。
【００３１】
この場合、例えば、５Ｇのセルに在圏している車両２００の数が、ＬＴＥのセルに在圏している車両２００の数よりも多い場合、５Ｇのセルに在圏している車両２００に割り当たられる接続可能端末数又は利用可能リソース数の数は、ＬＴＥのセルに在圏している車両２００に割り当てられる接続可能端末数又は利用可能リソース数の数よりも少なくなる場合がある。これにより、全体としては、５Ｇのセルに在圏している１又は複数の車両２００に在圏する通信端末３００の数を、ＬＴＥのセルに在圏している１又は複数の車両２００に在圏する通信端末３００の数よりも多くしつつ、５Ｇのセルの通信混雑度が過度に高まってしまうことを防止できる。
【００３２】
ここでは、管理装置１００が、車両２００の中継機能を管理する管理機能を有する場合を例に挙げて説明したが、これに限らない。例えば、ＭＭＥ（Ｍｏｂｉｌｉｔｙ  Ｍａｎａｇｅｍｅｎｔ  Ｅｎｔｉｔｙ）２０が管理機能を有してもよい。ＭＭＥ２０は、車両２００から中継機能を起動許可要求を受信した場合、上述の管理装置１００と同様に、起動可又は起動否を示す情報と、接続可能端末数又は利用可能リソース数とを含む応答を車両２００に送信してよい。
【００３３】
図２は、車両２００及び管理装置１００による処理の流れの一例を概略的に示す。ここでは、管理装置１００が、車両２００の在圏セルの種類に基づいて、車両２００の接続可能端末数を決定する場合の処理の流れを説明する。
【００３４】
ステップ（ステップをＳと省略して記載する場合がある。）１０２では、車両２００と無線基地局３０とが無線通信接続を確立する。Ｓ１０４では、車両２００が、中継機能の起動許可要求を、無線基地局３０を介して管理装置１００に送信する。
【００３５】
Ｓ１０６では、管理装置１００が、中継機能の起動可否を判定する。ここでは、起動可と判定したものとして説明を続ける。Ｓ１０８では、管理装置１００が、車両２００の在圏セルの種類を特定する。在圏セルの種類は、車両２００によって管理装置１００に通知されてよい。また、在圏セルの種類は、管理装置１００が判定してもよい。
【００３６】
Ｓ１１０では、管理装置１００が、Ｓ１０８において特定した在圏セルの種類に基づいて、接続可能端末数を決定する。Ｓ１１２では、管理装置１００が、起動可を示す情報と、Ｓ１１０において決定した接続可能端末数とを、無線基地局３０を介して車両２００に送信する。
【００３７】
Ｓ１１４では、車両２００が、中継機能を起動する。車両２００は、Ｓ１１２において受信した接続可能端末数を上限として、通信端末３００に対して中継機能を提供する。
【００３８】
管理装置１００は、図２に示す処理の流れと同様の流れで、車両２００の在圏セルの種類に基づいて利用可能リソース数を決定してよい。また、管理装置１００は、図２に示す処理の流れと同様の流れで、車両２００と無線基地局３０との通信許容量に基づいて接続可能端末数を決定してよい。また、管理装置１００は、図２に示す処理の流れと同様の流れで、車両２００と無線基地局３０との通信許容量に基づいて利用可能リソース数を決定してよい。
【００３９】
図１及び図２では、車両２００が管理装置１００に対して中継機能の起動許可要求を送信して、起動可と判定された場合に中継機能を起動する場合を例に挙げて説明したが、これに限らない。車両２００は、起動許可要求の送信と、起動可を示す情報の受信という手順を踏まずに、中継機能を起動可能であってもよい。この場合、車両２００は、中継機能を起動する場合に、接続可能端末数又は利用可能リソース数の決定要求を管理装置１００に送信して、管理装置１００によって決定された接続可能端末数又は利用可能リソース数を管理装置１００から受信してよい。
【００４０】
図１及び図２では、管理装置１００が接続可能端末数又は利用可能リソース数を決定する場合について主に説明したが、接続可能端末数又は利用可能リソース数の決定は、車両２００によって行われてもよい。
【００４１】
図３は、車両２００及び管理装置１００による処理の流れの一例を概略的に示す。ここでは、車両２００が、車両２００の在圏セルの種類に基づいて、車両２００の接続可能端末数を決定する場合の処理の流れを説明する。
【００４２】
Ｓ２０２では、車両２００と無線基地局３０とが無線通信接続を確立する。Ｓ２０４では、車両２００が、中継機能の起動許可要求を、無線基地局３０を介して管理装置１００に送信する。
【００４３】
Ｓ２０６では、管理装置１００が、中継機能の起動可否を判定する。ここでは、起動可と判定したものとして説明を続ける。Ｓ２０８では、管理装置１００が、起動可を示す情報を、無線基地局３０を介して車両２００に送信する。
【００４４】
Ｓ２１０では、車両２００が、在圏セルの種類を特定する。Ｓ２１２では、車両２００が、Ｓ２１０において特定した在圏セルの種類に基づいて、接続可能端末数を決定する。Ｓ２１２では、車両２００が、中継機能を起動する。車両２００は、Ｓ２１２において決定した接続可能端末数を上限として、通信端末３００に対して中継機能を提供する。
【００４５】
車両２００は、図３に示す処理の流れと同様の流れで、車両２００の在圏セルの種類に基づいて利用可能リソース数を決定してよい。また、車両２００は、図３に示す処理の流れと同様の流れで、車両２００と無線基地局３０との通信許容量に基づいて接続可能端末数を決定してよい。また、車両２００は、図３に示す処理の流れと同様の流れで、車両２００と無線基地局３０との通信許容量に基づいて利用可能リソース数を決定してよい。
【００４６】
図３では、車両２００が管理装置１００に対して中継機能の起動許可要求を送信して、起動可と判定された場合に中継機能を起動する場合を例に挙げて説明したが、これに限らない。車両２００は、起動許可要求の送信と、起動可を示す情報の受信という手順を踏まずに、中継機能を起動可能であってもよい。この場合、車両２００は、中継機能を起動する前の任意のタイミングで、接続可能端末数又は利用可能リソース数を決定してよい。
【００４７】
図４は、管理装置１００の機能構成の一例を概略的に示す。管理装置１００は、起動許可要求受信部１０２、起動可否判定部１０４、決定部１０６、情報取得部１０８、決定結果送信部１１０、及び決定要求受信部１１２を備える。
【００４８】
起動許可要求受信部１０２は、車両２００によって送信された起動許可要求を受信する。起動許可要求受信部１０２は、車両２００によって、無線基地局３０を介して送信された起動許可要求を受信してよい。
【００４９】
起動可否判定部１０４は、起動許可要求受信部１０２が受信した起動許可要求に対して、車両２００による中継機能の起動可否を判定する。起動可否判定部１０４は、例えば、車両２００が在圏している無線基地局３０の通信状況に基づいて、中継機能の起動可否を判定する。
【００５０】
決定部１０６は、起動可否判定部１０４によって起動可と判定された場合に、車両２００が接続可能な通信端末３００の数を示す接続可能端末数、又は、車両２００が通信端末３００との通信に利用可能な無線リソースの数を示す利用可能リソース数を決定する。
【００５１】
情報取得部１０８は、起動許可要求を送信した車両２００に関連する情報を取得する。情報取得部１０８は、例えば、車両２００が在圏しているセルの種類を取得する。情報取得部１０８は、車両２００によって通知されたセルの種類を取得してよい。また、情報取得部１０８は、無線基地局３０によって通知されたセルの種類を取得してもよい。また、情報取得部１０８は、セルの種類を自らが判定してもよい。
【００５２】
また、例えば、情報取得部１０８は、車両２００と無線基地局３０との通信の通信許容量を取得する。情報取得部１０８は、車両２００によって通知された通信許容量を取得してよい。また、情報取得部１０８は、無線基地局３０によって通知された通信許容量を取得してもよい。また、情報取得部１０８は、通信許容量を自らが判定してもよい。
【００５３】
決定部１０６は、情報取得部１０８によって取得された情報に基づいて、接続可能端末数を決定してよい。決定部１０６は、例えば、情報取得部１０８によって取得されたセルの種類に基づいて接続可能端末数を決定する。決定部１０６は、セルの種類が、セルに在圏した車両２００に対して割り当てられる通信許容量がより多いセルである場合に、より多い接続可能端末数を決定する。
【００５４】
具体例として、決定部１０６は、セルの種類が５Ｇのセルである場合に、セルの種類がＬＴＥのセルや、３Ｇのセルである場合よりも多い接続可能端末数を決定する。また、例えば、決定部１０６は、セルの種類がＬＴＥのセルである場合に、セルの種類が３Ｇのセルである場合よりも多い接続可能端末数を決定する。
【００５５】
また、決定部１０６は、例えば、情報取得部１０８によって取得された通信許容量に基づいて接続可能端末数を決定する。決定部１０６は、例えば、通信許容量が多いほど、より多い接続可能端末数を決定する。
【００５６】
決定部１０６は、第１のセルに在圏している複数の車両２００の接続可能端末数の総数が、第１のセルよりも車両２００に対して割り当てられる通信許容量が少ない第２のセルに在圏している複数の車両２００の接続可能端末数の総数よりも多くなるように、複数の車両２００のそれぞれの接続可能端末数を決定してもよい。
【００５７】
具体例として、決定部１０６は、セルの種類が５Ｇのセルである第１のセルに在圏している複数の車両２００の接続可能端末数の総数が、セルの種類がＬＴＥのセル又は３Ｇのセルである第２のセルに在圏している複数の車両２００の接続可能端末数の総数よりも多くなるように、複数の車両２００の接続可能端末数を決定する。また、決定部１０６は、セルの種類がＬＴＥのセルである第１のセルに在圏している複数の車両２００の接続可能端末数の総数が、セルの種類が３Ｇのセルである第２のセルに在圏している複数の車両２００の接続可能端末数の総数よりも多くなるように、複数の車両２００の接続可能端末数を決定する。
【００５８】
決定部１０６は、情報取得部１０８によって取得された情報に基づいて、利用可能リソース数を決定してもよい。決定部１０６は、例えば、情報取得部１０８によって取得されたセルの種類に基づいて利用可能リソース数を決定する。決定部１０６は、セルの種類が、セルに在圏した車両２００に対して割り当てられる通信許容量がより多いセルである場合に、より多い利用可能リソース数を決定する。
【００５９】
具体例として、決定部１０６は、セルの種類が５Ｇのセルである場合に、セルの種類がＬＴＥのセルや、３Ｇのセルである場合よりも多い利用可能リソース数を決定する。また、例えば、決定部１０６は、セルの種類がＬＴＥのセルである場合に、セルの種類が３Ｇのセルである場合よりも多い利用可能リソース数を決定する。
【００６０】
また、決定部１０６は、例えば、情報取得部１０８によって取得された通信許容量に基づいて利用可能リソース数を決定する。決定部１０６は、例えば、通信許容量が多いほど、より多い利用可能リソース数を決定する。
【００６１】
決定部１０６は、第１のセルに在圏している複数の車両２００の利用可能リソース数の総数が、第１のセルよりも車両２００に対して割り当てられる通信許容量が少ない第２のセルに在圏している複数の車両２００の利用可能リソース数の総数よりも多くなるように、複数の車両２００のそれぞれの利用可能リソース数を決定してもよい。
【００６２】
具体例として、決定部１０６は、セルの種類が５Ｇのセルである第１のセルに在圏している複数の車両２００の利用可能リソース数の総数が、セルの種類がＬＴＥのセル又は３Ｇのセルである第２のセルに在圏している複数の車両２００の利用可能リソース数の総数よりも多くなるように、複数の車両２００の利用可能リソース数を決定する。また、決定部１０６は、セルの種類がＬＴＥのセルである第１のセルに在圏している複数の車両２００の利用可能リソース数の総数が、セルの種類が３Ｇのセルである第２のセルに在圏している複数の車両２００の利用可能リソース数の総数よりも多くなるように、複数の車両２００の利用可能リソース数を決定する。
【００６３】
情報取得部１０８は、複数の車両２００のそれぞれの移動速度を取得してもよい。決定部１０６は、例えば、一のセルに在圏している複数の車両２００のうち、移動速度がより遅い車両２００に対して、より多い接続可能端末数又はより多い利用可能リソース数を決定してよい。これにより、移動速度がより遅く、通信端末３００との無線通信がより安定する蓋然性の高い車両２００に対して、より多い接続可能端末数又はより多い利用可能リソース数を割り当て可能にできる。
【００６４】
情報取得部１０８は、複数の車両２００のそれぞれが移動しているか否かを示す移動情報を取得してもよい。決定部１０６は、例えば、一のセルに在圏している複数の車両２００のうち、移動していない車両２００に対して、移動している車両２００と比較して、より多い接続可能端末数又はより多い利用可能リソース数を決定する。これにより、移動しておらず、通信端末３００との無線通信がより安定する蓋然性の高い車両２００に対して、より多い接続可能端末数又はより多い利用可能リソース数を割り当て可能にできる。
【００６５】
情報取得部１０８は、複数の車両２００のそれぞれの位置情報を取得してもよい。決定部１０６は、例えば、一のセルに在圏している複数の車両２００のうち、第１のセルを形成している無線基地局３０により近い車両２００に対して、より多い接続可能端末数又はより多い利用可能リソース数を決定してよい。これにより、無線基地局３０からの電波受信強度がより高く、通信端末３００との無線通信がより安定する蓋然性が高い車両２００に対して、より多い接続可能端末数又はより多い利用可能リソース数を割り当て可能にできる。
【００６６】
情報取得部１０８は、複数の車両２００のそれぞれの、無線基地局３０からの電波受信強度を取得してもよい。決定部１０６は、例えば、一のセルに在圏している複数の車両２００のうち、電波受信強度がより強い車両２００に対して、より多い接続可能端末数又はより多い利用可能リソース数を決定してよい。これにより、無線基地局３０からの電波受信強度がより高く、通信端末３００との無線通信がより安定する蓋然性が高い車両２００に対して、より多い接続可能端末数又はより多い利用可能リソース数を割り当て可能にできる。
【００６７】
車両２００がバッテリを搭載した自動車である場合において、情報取得部１０８は、複数の車両２００のそれぞれが、バッテリを充電しているか否かを示す情報を取得してよい。決定部１０６は、例えば、一のセルに在圏している複数の車両２００のうち、充電している車両２００に対して、充電していない車両２００と比較して、より多い接続可能端末数又はより多い利用可能リソース数を決定してよい。これにより、中継機能を実行中に、バッテリの電源が枯渇して、中継機能が終了してしまうという事態が発生しない車両２００に対して、より多い接続可能端末数又はより多い利用可能リソース数を割り当て可能にできる。
【００６８】
決定結果送信部１１０は、起動可否判定部１０４による判定結果と、決定部１０６による決定結果とを車両２００に送信する。決定結果送信部１１０は、起動可又は起動否を示す情報と、決定部１０６によって決定された、接続可能端末数又は利用可能リソース数を車両２００に送信する。
【００６９】
決定要求受信部１１２は、車両２００から、接続可能端末数又は利用可能リソース数の決定要求を受信する。決定部１０６は、決定要求受信部１１２が車両２００から接続可能端末数又は利用可能リソース数の決定要求を受信した場合、車両２００に対する接続可能端末数又は利用可能リソース数を決定してよい。
【００７０】
図５は、管理装置１００による処理の流れの一例を概略的に示す。ここでは、管理装置１００が、車両２００から中継機能の起動許可要求を受信してから、応答するまでの処理の流れを説明する。
【００７１】
Ｓ３０２では、起動許可要求受信部１０２が、車両２００によって送信された、中継機能の起動許可要求を受信する。Ｓ３０４では、起動可否判定部１０４が、Ｓ３０２において受信した起動許可要求に対して、起動可否を判定する。起動可と判定した場合、Ｓ３０６に進み、起動否と判定した場合、Ｓ３１２に進む。
【００７２】
Ｓ３０６では、情報取得部１０８が、起動許可要求を送信した車両２００の在圏セルの種類を取得する。Ｓ３０８では、決定部１０６が、Ｓ３０６において取得された在圏セルの種類に基づいて、接続可能端末数又は利用可能リソース数を決定する。Ｓ３１０では、決定結果送信部１１０が、中継機能を起動可であることを示す情報と、Ｓ３０８において決定された接続可能端末数又は利用可能リソース数とを含む決定結果を車両２００に通知する。
【００７３】
Ｓ３１２では、決定結果送信部１１０が、中継機能を起動否であることを示す拒否応答を車両２００に通知する。なお、図５では、Ｓ３０６において情報取得部１０８が在圏セルの種類を取得する場合を例示しているが、情報取得部１０８は、在圏セルの種類に代えて、通信許容量を取得してもよい。
【００７４】
図６は、接続可能端末数又は利用可能リソース数の決定機能を有する車両２００が備える車載装置２１０の機能構成の一例を概略的に示す。車載装置２１０は、基地局通信部２１２、端末通信部２１４、及び中継機能管理部２２０を備える。
【００７５】
基地局通信部２１２は、無線基地局３０と通信する。基地局通信部２１２は、無線基地局３０との間で無線通信接続を確立して、無線基地局３０と無線通信を行う。
【００７６】
端末通信部２１４は、通信端末３００と通信する。端末通信部２１４は、１又は複数の通信端末３００との間で無線通信接続を確立して、１又は複数の通信端末３００と無線通信を行う。
【００７７】
中継機能管理部２２０は、車両２００の中継機能を管理する。中継機能管理部２２０は、許可要求送信部２２１、応答受信部２２２、情報取得部２２３、決定部２２４、及び中継機能実行部２２５を有する。
【００７８】
許可要求送信部２２１は、中継機能の起動許可要求を送信する。許可要求送信部２２１は、基地局通信部２１２による無線基地局３０との無線通信接続を介して、管理装置１００に対して起動許可要求を送信する。
【００７９】
許可要求送信部２２１は、例えば、車両２００の乗員の指示に従って、中継機能の起動許可要求を送信する。許可要求送信部２２１は、起動許可要求を送信する条件として予め設定された条件が満たされたことに応じて、起動許可要求を管理装置１００に対して送信してもよい。例えば、許可要求送信部２２１は、車両２００が停止した場合、車両２００が停車した場合、車両２００が駐車した場合、車両２００の移動速度が所定の速度よりも遅くなった場合等に、起動許可要求を管理装置１００に対して送信する。
【００８０】
応答受信部２２２は、許可要求送信部２２１によって送信された起動許可要求に対する応答を管理装置１００から受信する。応答は、起動可又は起動否を示す情報を含む。
【００８１】
情報取得部２２３は、各種情報を取得する。情報取得部２２３は、例えば、車両２００が在圏しているセルの種類を取得する。また、情報取得部２２３は、例えば、車両２００が在圏している無線基地局３０と、車両２００との間の通信の通信許容量を取得する。
【００８２】
決定部２２４は、応答受信部２２２が起動可を示す情報を受信した場合に、情報取得部２２３が取得した情報に基づいて、接続可能端末数又は利用可能リソース数を決定する。決定部２２４は、例えば、情報取得部２２３が取得したセルの種類に基づいて、接続可能端末数を決定する。また、決定部２２４は、例えば、情報取得部２２３が取得した通信許容量に基づいて、接続可能端末数を決定する。また、決定部２２４は、例えば、情報取得部２２３が取得したセルの種類に基づいて、利用可能リソース数を決定する。また、決定部２２４は、例えば、情報取得部２２３が取得した通信許容量に基づいて、利用可能リソース数を決定する。
【００８３】
中継機能実行部２２５は、応答受信部２２２が起動可を示す情報を受信した場合に、中継機能を起動して、中継機能を実行する。中継機能実行部２２５は、決定部２２４によって決定された接続可能端末数を上限として、通信端末３００に対する中継機能を実行してよい。また、中継機能実行部２２５は、決定部２２４によって決定された利用可能リソース数を上限として、通信端末３００に対する中継機能を実行してよい。
【００８４】
図７は、車載装置２１０による処理の流れの一例を概略的に示す。ここでは、車載装置２１０が、中継機能の起動許可要求を送信する場合の処理の流れを説明する。
【００８５】
Ｓ４０２では、許可要求送信部２２１が、中継機能の起動許可要求を管理装置１００に対して送信する。Ｓ４０４では、決定部２２４が、中継機能を起動可であるか否かを判定する。決定部２２４は、応答受信部２２２が受信した応答が、起動可を示す情報を含む場合、起動可と判定し、起動否を示す情報を含む場合、起動否と判定する。起動可と判定した場合、Ｓ４０６に進み、起動否と判定した場合、処理を終了する。
【００８６】
Ｓ４０６では、中継機能実行部２２５が中継機能を実行を開始する。Ｓ４０８では、情報取得部２２３が、車両２００が在圏している在圏セルの種類を取得する。Ｓ４１０では、決定部２２４が、Ｓ４０８において取得された在圏セルの種類に基づいて、接続可能端末数又は利用可能リソース数を決定する。
【００８７】
Ｓ４１２では、車両２００が在圏するセルの種類が変更されたか否かを、決定部２２４が判定する。決定部２２４は、情報取得部２２３によって取得されるセルの種類を適宜参照することによって、車両２００が在圏するセルの種類が変更されたか否かを判定してよい。変更されたと判定した場合、Ｓ４１０に戻り、変更されていないと判定した場合、Ｓ４１４に進む。
【００８８】
Ｓ４１４では、中継機能を終了するか否かを中継機能実行部２２５が判定する。中継機能実行部２２５は、例えば、車両２００の乗員からの終了指示を受け付けた場合に、中継機能を終了すると判定する。終了しないと判定した場合、Ｓ４１２に戻る。終了すると判定した場合、中継機能実行部２２５が中継機能を終了して、処理が終了する。
【００８９】
図８は、管理装置１００又は車載装置２１０として機能するコンピュータ１２００のハードウェア構成の一例を概略的に示す。コンピュータ１２００にインストールされたプログラムは、コンピュータ１２００を、上記実施形態に係る装置の１又は複数の「部」として機能させ、又はコンピュータ１２００に、上記実施形態に係る装置に関連付けられるオペレーション又は当該１又は複数の「部」を実行させることができ、及び／又はコンピュータ１２００に、上記実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００９０】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、ＤＶＤドライブ１２２６、及びＩＣカードドライブのような入出力ユニットを含み、それらは入出力コントローラ１２２０を介してホストコントローラ１２１０に接続されている。ＤＶＤドライブ１２２６は、ＤＶＤ−ＲＯＭドライブ及びＤＶＤ−ＲＡＭドライブ等であってよい。記憶装置１２２４は、ハードディスクドライブ及びソリッドステートドライブ等であってよい。コンピュータ１２００はまた、ＲＯＭ１２３０及びタッチパネルのようなレガシの入出力ユニットを含み、それらは入出力チップ１２４０を介して入出力コントローラ１２２０に接続されている。
【００９１】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。コンピュータ１２００は、ディスプレイデバイス１２１８を備えていなくてもよく、その場合、グラフィックコントローラ１２１６は、イメージデータが外部のディスプレイデバイスに表示されるようにする。
【００９２】
通信インタフェース１２２２は、無線通信ネットワークを介して他の電子デバイスと通信する。記憶装置１２２４は、コンピュータ１２００内のＣＰＵ１２１２によって使用されるプログラム及びデータを格納する。ＤＶＤドライブ１２２６は、プログラム又はデータをＤＶＤ−ＲＯＭ１２２７等から読み取り、記憶装置１２２４に提供する。ＩＣカードドライブは、プログラム及びデータをＩＣカードから読み取り、及び／又はプログラム及びデータをＩＣカードに書き込む。
【００９３】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、ＵＳＢポート等を介して、様々な入出力ユニットを入出力コントローラ１２２０に接続してよい。
【００９４】
プログラムは、ＤＶＤ−ＲＯＭ１２２７又はＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００９５】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、ＤＶＤ−ＲＯＭ１２２７、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００９６】
また、ＣＰＵ１２１２は、記憶装置１２２４、ＤＶＤドライブ１２２６（ＤＶＤ−ＲＯＭ１２２７）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００９７】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【００９８】
上で説明したプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【００９９】
上記実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【０１００】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【０１０１】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【０１０２】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【０１０３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、請求の範囲の記載から明らかである。
【０１０４】
請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。請求の範囲、明細書、及び図面中の動作フローに関して、便宜上「まず、」、「次に、」などを用いて説明したとしても、この順で実施することが必須であることを意味するものではない。
【符号の説明】
【０１０５】
１０  ネットワーク、２０  ＭＭＥ、３０  無線基地局、３２  セル、１００  管理装置、１０２  起動許可要求受信部、１０４  起動可否判定部、１０６  決定部、１０８  情報取得部、１１０  決定結果送信部、１１２  決定要求受信部、２００  車両、２１０  車載装置、２１２  基地局通信部、２１４  端末通信部、２２０  中継機能管理部、２２１  許可要求送信部、２２２  応答受信部、２２３  情報取得部、２２４  決定部、２２５  中継機能実行部、３００  通信端末、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２２６  ＤＶＤドライブ、１２２７  ＤＶＤ−ＲＯＭ、１２３０  ＲＯＭ、１２４０  入出力チップ
【図１】
2020240806.tif 000003
【図２】
2020240806.tif 000004
【図３】
2020240806.tif 000005
【図４】
2020240806.tif 000006
【図５】
2020240806.tif 000007
【図６】
2020240806.tif 000008
【図７】
2020240806.tif 000009
【図８】
2020240806.tif 000010
【国際調査報告】
2020240806.tif 000011
2020240806.tif 000012
2020240806.tif 000013
2020240806.tif 000014